(57)【要約】【課題】  商品価格等の商品情報を迅速かつ自由に変更することができると共に、商品表示も購買意欲を訴求するインパクトのある優れた表示性能を有し、しかも、省電力で、かつ安価な商品情報表示札、その表示方法及びそれを用いた商品情報表示札システムを提供する。【解決手段】  少なくとも、電力を供給するための電源部３１と、商品情報の送受を行う通信部３２と、商品情報を記憶する記憶部３３と、商品情報の表示を制御する制御部３４と、供給された電力の電圧を上昇させる昇圧部３５と、商品情報を表示するための電気泳動型の表示部２０とを有することを特徴とする商品情報表示札Ａ。【選択図】図１
2008009110.tif 000002
【特許請求の範囲】
【請求項１】
少なくとも、電力を供給するための電源部と、商品情報の送受を行う通信部と、商品情報を記憶する記憶部と、商品情報の表示を制御する制御部と、供給された電力の電圧を上昇させる昇圧部と、商品情報を表示するための電気泳動型の表示部とを有することを特徴とする商品情報表示札。
【請求項２】
前記電気泳動型の表示部が、電気泳動粒子の偏在を抑制する構造を有することを特徴とする請求項１に記載の商品情報表示札。
【請求項３】
前記電気泳動粒子の偏在を抑制する構造が、繊維を織ることによる織物構造であることを特徴とする請求項２に記載の商品情報表示札。
【請求項４】
前記電気泳動型の表示部が、少なくとも下記一般式で表される構造単位を有するアルキルポリエーテルアミン、１種類以上の微粒子及び分散液媒体を含有する電気泳動表示用液で少なくとも表示されることを特徴とする請求項１〜３の何れか一つに記載の商品情報表示札。
【化１】
2008009110.tif 000007
【請求項５】
前記電気泳動型の表示部が、少なくとも２種以上の情報を表示し、表示する情報を赤色を含む少なくとも２色以上の異なった色で表示することを特徴とする請求項１〜４の何れか一つに記載の商品情報表示札。
【請求項６】
電気泳動表示部の赤色の色彩が、Ｌ＊ａ＊ｂ＊表色系において明度Ｌ＊値が４０以上、色度ａ＊値が１０以上であることを特徴とする請求項５に記載の商品情報表示札。
【請求項７】
前記電気泳動型の表示部の赤色以外の色が、黒色、青色、緑色、黄色、茶色から選ばれる請求項５又は６に記載の商品情報表示札。
【請求項８】
前記電源部が、乾電池、リチウム電池、ボタン電池、小型二次電池、燃料電池及び太陽電池から選ばれる少なくとも１種からなることを特徴とする請求項１〜７の何れか一つに記載の商品情報表示札。
【請求項９】
前記商品情報の送受が、光無線通信または音響通信により行われることを特徴とする請求項１〜８の何れか一つに記載の商品情報表示札。
【請求項１０】
前記記憶部が、商品情報表示札の個別の識別情報を有することを特徴とする請求項１〜９の何れか一つに記載の商品情報表示札。
【請求項１１】
前記電気泳動型の表示部が、少なくとも一方が透明な一組の対向配置された前面板と背面板からなる基板間に電気泳動粒子を含有する電気泳動用表示液を封入してなり、上記前面板及び背面板のそれぞれが、引き出し線を有する一つ以上の表示セグメント電極と、該表示セグメント電極以外の背景セグメント電極とを備え、一方の基板の引き出し線と他方の基板の背景セグメント電極とが互いに対向するように配置されていることを特徴とする請求項１〜１０の何れか一つに記載の商品情報表示札。
【請求項１２】
前記電気泳動型の表示部を、少なくとも一つ以上の表示セグメント部と、該表示セグメント部以外の背景部とが、異なる色調を有するように表示する場合において、引き出し線と該引き出し線に対向する背景セグメント電極間の電位差が、少なくとも２箇所以上においてゼロ（０）となる箇所が存在するように制御することを特徴とする請求項１１に記載の商品情報表示札の表示方法。
【請求項１３】
請求項１〜１１の何れか一つに記載の商品情報表示札と、該商品情報表示札を制御するサーバーと、該サーバーと連動するポスシステムとを少なくとも備え、上記商品情報表示札は、前記サーバーに接続される送信装置により、商品情報が作成されることを特徴とする商品情報表示札システム。
【発明の詳細な説明】
【技術分野】
【０００１】
本発明は、スーパーマーケット、コンビニエンスストアやホームセンターなどの商品の陳列棚等に取り付けられる商品の価格等を電子的に表示する商品情報表示札、その表示方法及びそれを用いた商品情報表示札システムに関する。
【背景技術】
【０００２】
一般に、スーパーマーケット、コンビニエンスストアなどの商品陳列棚では、商品名と販売価格等の商品情報を表示する棚札（値札）がつけられている。最近、この棚札を液晶画面と無線ネットワークを使った電子棚札システムで行う店舗などが多くなってきている。
この電子棚札は、取扱う商品点数が多くなり、また、タイムサービスや同業他社との競合のための価格変更等が頻繁に発生するために、新しい商品のための棚を新設したり、棚札を差し替えたりする手間が掛かりすぎて消費者ニーズに十分対応できていないという課題などを解消するためなどにより採用されてきている。
【０００３】
この電子棚札を用いたシステムは、スーパーマーケット等の本店のホストコンピュータと営業店の小売端末を無線や有線で接続し、ホストコンピュータから送信された商品情報などを営業店の端末からそれぞれ店内の各棚に送信し、電子的に価格などを表示して運用しているものである（例えば、特許文献１〜３参照）。
【０００４】
このような電子棚札システムの採用によって、日々変更される商品価格等を短時間で少ない人数で行うことができ、店頭でのオペレーション負担は著しく低減され、機動的な価格変更も可能となるものである。また、ＰＯＳレジスターと連動させることにより、「ＰＯＳレジスターの価格と棚札が合っていない」というトラブル（価格のズレ）の課題も解消するものである。
しかしながら、この電子棚札及びそのシステムにも課題がある。すなわち、この電子棚札及びそのシステムでは、多くが液晶表示形式の棚札を採用しているため、表示体の価格が高く、メモリー機能もないため電力も多く消費するなどの課題がある。
【０００５】
そこで、これらの課題に対して、表示体を電気泳動方式とした電子棚札も知られている（例えば、特許文献４参照）。この電気泳動表示方式を用いた商品情報表示札は、液晶表示面に較べ、フレキシブル性に優れ、低消費電力であり電源を切っても表示がそのまま残るので安価な表示方式である。
しかしながら、上記特許文献４の電子棚札では、電子棚札は電源が配線された商品陳列棚に固定されているため、商品の配置換えなどによって棚札の移動が容易でないなどの課題がある。また、この電子棚札では、同一背景色の中に赤色と黒色とによる２つの異なった情報を表示できることを開示しているが、該電気泳動方式の特売価格や値引価格などを強調するために用いる赤色表示は未だピンク色に近い赤色であり、通常の手書き表示のインパクトのある赤色表示とは相違し、インパクトに欠け、消費者に訴える要素に乏しく、購買意欲を訴求する赤色等の彩度の高い表示性能の向上が切望されているのが現状である。
【特許文献１】特開平３−２５９１７８号公報（特許請求の範囲、実施例等）
【特許文献２】特開２００１−１０９９５６号公報（特許請求の範囲、実施例等）
【特許文献３】特開２００５−２５８５７２号公報（特許請求の範囲、実施例等）
【特許文献４】特開２００１−１０９４０７号公報（特許請求の範囲、実施例等）
【発明の開示】
【発明が解決しようとする課題】
【０００６】
本発明は、上記従来技術の課題及び現状に鑑み、これを解消しようとするものであり、商品価格等の商品情報を迅速かつ自由に変更することができると共に、商品表示も購買意欲を訴求する彩度の高い優れた表示性能を有し、しかも、省電力で、かつ安価な商品情報表示札、その表示方法及びそれを用いた商品情報表示札システムを提供することを目的とする。
【課題を解決するための手段】
【０００７】
本発明者らは、上記従来技術の課題等について鋭意検討した結果、少なくとも、電力を供給するための電源部と、商品情報の送受を行う通信部と、商品情報を記憶する記憶部と、商品情報の表示を制御する制御部と、供給された電力の電圧を上昇させる昇圧部と、商品情報を表示するための電気泳動型の特定構造となる表示部とを有することなどにより、上記目的の商品情報表示札、その表示方法及びそれを用いた商品情報表示札システムが得られることを見い出し、本発明を完成するに至ったのである。
【０００８】
すなわち、本発明は、次の（１）〜（１３）に存する。
（１）  少なくとも、電力を供給するための電源部と、商品情報の送受を行う通信部と、商品情報を記憶する記憶部と、商品情報の表示を制御する制御部と、供給された電力の電圧を上昇させる昇圧部と、商品情報を表示するための電気泳動型の表示部とを有することを特徴とする商品情報表示札。
（２）  前記電気泳動型の表示部が、電気泳動粒子の偏在を抑制する構造を有することを特徴とする上記（１）に記載の商品情報表示札。
（３）  前記電気泳動粒子の偏在を抑制する構造が、繊維を織ることによる織物構造であることを特徴とする上記（２）に記載の商品情報表示札。
（４）  前記電気泳動型の表示部が、少なくとも下記一般式で表される構造単位を有するアルキルポリエーテルアミン、          、１種類以上の微粒子及び分散液媒体を含有する電気泳動表示用液で少なくとも表示されることを特徴とする上記（１）〜（３）の何れか一つに記載の商品情報表示札。
【化１】
2008009110.tif 000003
（５）  前記電気泳動型の表示部が、少なくとも２種以上の情報を表示し、表示する情報を赤色を含む少なくとも２色以上の異なった色で表示することを特徴とする上記（１）〜（４）の何れか一つに記載の商品情報表示札。
（６）  電気泳動表示部の赤色の色彩が、Ｌ＊ａ＊ｂ＊表色系において明度Ｌ＊値が４０以上、色度ａ＊値が１０以上であることを特徴とする上記（５）に記載の商品情報表示札。
（７）  前記電気泳動型の表示部の赤色以外の色が、黒色、青色、緑色、黄色、茶色から選ばれる上記（５）又は（６）に記載の商品情報表示札。
（８）  前記電源部が、乾電池、リチウム電池、ボタン電池、小型二次電池、燃料電池及び太陽電池から選ばれる少なくとも１種からなることを特徴とする上記（１）〜（７）の何れか一つに記載の商品情報表示札。
（９）  前記商品情報の送受が、光無線通信または音響通信により行われることを特徴とする上記（１）〜（８）の何れか一つに記載の商品情報表示札。
（１０）  前記記憶部が、商品情報表示札の個別の識別情報を有することを特徴とする上記（１）〜（９）の何れか一つに記載の商品情報表示札。
（１１）  前記電気泳動型の表示部が、少なくとも一方が透明な一組の対向配置された前面板と背面板からなる基板間に電気泳動粒子を含有する電気泳動用表示液を封入してなり、上記前面板及び背面板のそれぞれが、引き出し線を有する一つ以上の表示セグメント電極と、該表示セグメント電極以外の背景セグメント電極とを備え、一方の基板の引き出し線と他方の基板の背景セグメント電極とが互いに対向するように配置されていることを特徴とする上記（１）〜（１０）の何れか一つに記載の商品情報表示札。
（１２）  前記電気泳動型の表示部を、少なくとも一つ以上の表示セグメント部と、該表示セグメント部以外の背景部とが、異なる色調を有するように表示する場合において、引き出し線と該引き出し線に対向する背景セグメント電極間の電位差が、少なくとも２箇所以上においてゼロ（０）となる箇所が存在するように制御することを特徴とする上記（１１）に記載の商品情報表示札の表示方法。
（１３）  上記（１）〜（１１）の何れか一つに記載の商品情報表示札と、該商品情報表示札を制御するサーバーと、該サーバーと連動するポスシステム及びホストコンピュータとを少なくとも備え、上記商品情報表示札は、前記サーバーに接続される送信装置又は携帯端末により、商品情報が作成されることを特徴とする商品情報表示札システム。
【発明の効果】
【０００９】
本発明によれば、商品価格等の商品情報を迅速かつ自由に変更することができると共に、商品表示も購買意欲を訴求する彩度の高い優れた表示性能を有し、しかも、省電力で、かつ安価な商品情報表示札、その表示方法及びそれを用いた商品情報表示札システムが提供される。
【発明を実施するための最良の形態】
【００１０】
以下に、本発明の実施形態を図面を参照しながら詳しく説明する。
図１〜図５は、本発明の商品情報表示札の実施形態の一例を示すものであり、図１（ａ）は商品情報表示札の斜視図、（ｂ）は内部構造を示す概略図、図２は、電気泳動型の表示部の縦断面図、図３は図２の部分拡大断面図、図４は電気泳動粒子の偏在を抑制する構造を示す概略平面図、図５は電気泳動表示用液を説明する説明図である。
本実施形態の商品情報表示札Ａは、図１（ａ）に示すように、合成樹脂製の表示札本体１０の表面部に商品情報を表示するための電気泳動型の表示部２０と、定型文などが表示される印刷表示部３０とを有すると共に、図１（ｂ）に示すように、表示札本体１０内に電気泳動型の表示部２０を駆動等するための電力を供給するための電源部３１と、商品情報の送受を行う通信部３２と、商品情報を記憶する記憶部３３と、商品情報の表示を制御する制御部３４と、供給された電力の電圧を上昇させる昇圧部３５とを有する構成となっている。
【００１１】
電気泳動型の表示部２０は、書き換え可能な表示欄であり、表示の切替時にのみ電力を消費するものである。表示部２０の表示形態としては、例えば、商品名や商品の容量及び特性、価格（税込み価格）、割引価格や消費税、宣伝広告などが挙げられ、本実施形態では、１００ｇ、１０％引、１２３円を表示している。
この電気泳動表示媒体から構成される表示部２０は、図２及び図３に示すように、光透過性を有する電極２１ａが形成された前面板２１と光透過性を有する電極２２ａが形成された背面板２２との間に、電気泳動粒子を含有する電気泳動用表示液となる表示体２３を配置すると共に、該電気泳動粒子の偏在を抑制する構造となる織物体２４が配置された構造となっている。
【００１２】
上記光透過性を有する電極２１ａが形成された前面板２１としては、例えば、透明樹脂フィルムや透明ガラス等にＩＴＯ等の透明導電性材料を塗工法、イオンプレーティング法、スパッタリング法、蒸着法等により得ることができるが、これらに限定されるものではない。
また、光透過性を有する電極２１ａが形成された前面板２１と対向配置される電極２２ａが形成された背面板２２としては、上記光透過性を有する電極２１ａが形成された前面板２１と同じ基板を用いることもできるし、樹脂フィルム、樹脂板、ガラス、セラミック、金属、紙、木材といった基板上に電極を形成した非光透過性の基板を用いることもできる。
更に、上記背面板２２は、フォトエッチング法やレーザー加工法などでパターン形成されたものを用いることも可能であるし、液晶ディスプレイ等で使用されているＴＦＴ（Thin  Film  Transistor）基板等を用いることもできるが、これらに限定されるものではない。なお、上記実施形態では、電極は前面板２１、背面板２２に形成したが、何れか一方であってもよいものである。
【００１３】
上記前面板２１，背面板２２間には、電気泳動粒子を含有する電気泳動用表示液からなる表示体２３が配置されると共に、繊維より構成される織物体２４が配置される構造となるものである。
用いる電気泳動用表示液からなる表示体２３としては、少なくとも１種類以上の電気泳動粒子、アルキルポリエーテルアミン、分散剤及び分散液媒体を含有するものが挙げられ、好ましくは、少なくとも、下記一般式（Ｉ）で表される構造単位を有するアルキルポリエーテルアミンと、１種類以上の微粒子と、分散液媒体とを含有するものが好ましく、必要に応じて、顔料分散剤等を含有することも可能である。
【化１】
2008009110.tif 000004
【００１４】
この電気泳動表示用液に用いるアルキルポリエーテルアミンは、電荷制御作用を向上させて表示面のコントラスト、繰り返し表示の信頼性を向上させると共に、優れた応答性を発揮させるために含有するものであり、上記一般式（Ｉ）に表されるような構造式で表されるものであれば良く、例えば、ポリエチレングリコールラウリルアミン、ポリエチレングリコールアルキル（椰子）アミン、ボリエチレングリコールステアリルアミン、ポリエチレングリコールアルキル（牛脂）アミン、ポリオキシエチレンアルキル（牛脂）プロピレンアミン、ヒドロキシエチルラウリルアミン、ポリエチレングリコールアルキル（鹿脂）アミン、ポリエチレングリコールアルキル（羊脂）アミン等を挙げることができるが、少なくとも用いる分散液媒体に溶解するものであればこれらに限定されるものではない。
用いるアルキルポリエーテルアミンは、各単独（１種）又は２種以上を組み合わせて用いることもでき、その種類によって含有する量が適宜決定されることになるが、微粒子に対して、各々１．０〜２００％の範囲で含有されることが好ましく、更に好ましくは、１０〜１５０％とすることが望ましい。
【００１５】
また、用いる微粒子としては、例えば、有色または無色（白色）の無機顔料粒子、有機顔料粒子、高分子微粒子等を用いることができ、これらは各単独（１種）又は２種以上を混合して用いることができ、更に、上記各種微粒子〔有色または無色（白色）の無機顔料粒子、有機顔料粒子、高分子微粒子等〕の表面部が親油性表面処理剤などで処理された親油性微粒子も用いることができる。
これらの微粒子は、表示特性、表示メモリー性や分散安定性の更なる効果を発揮せしめる点から、平均粒子径が０．０５〜２０μｍのものが好ましく用いられ、また、微粒子の含有量は、電気泳動表示液全量に対して、好ましくは、３〜５０％、更に好ましくは、５〜３５％とすることが望ましい。
【００１６】
分散剤としては、慣用的に用いられる各種の分散剤、界面活性（ノニオン系界面活性剤、アニオン系界面活性剤、カチオン系界面活性剤、両性系界面活性剤）、高分子型界面活性剤などが挙げられるが、これらに限定されるものではない。
これらの分散剤は、１種類でも、２種類以上を組み合わせて用いることも可能であり、その含有量としては用いる微粒子や溶媒種によって適宜決定されるが、特に、電気泳動表示液全量に対して、０．０１〜５０．０％であることが好ましく、更に好ましくは、１〜３０％とすることが望ましい。
分散液媒体としては、例えば、従来電気泳動表示に用いられている各種タイプのものを用いることができる。具体的には、芳香族系炭化水素、パラフィン系炭化水素等の脂肪族炭化水素類、ハロゲン化炭化水素類、リン酸エステル類、フタル酸エステル類、カルボン酸エステル類等が挙げられる。これらの分散液媒体を各単独で又は２種類以上混合して用いることができ、特に、誘電率の低い（５．０以下）溶媒が好ましく用いられ、微粒子の比重と同じになるように選択されることが好ましい。これらの分散液媒体の含有量としては、用いる微粒子等によって適宜決定されるが、特に、電気泳動表示液全量に対して、２５〜８５％であることが好ましく、更に好ましくは、３０〜６０％とすることが望ましい。また、本発明においては、上記分散液媒体に対して各種油溶性染料を溶解して着色して用いることが可能である。
更に、これらの各成分を含有する電気泳動表示用液には、本発明の効果を損なわない範囲で紫外線吸収剤、酸化防止剤、光安定剤、熱安定剤、防菌防黴剤等の任意成分を適宜量含有することができる。
【００１７】
本実施形態において、織物体２４は、図４に示すように、例えば、メッシュ状の各区画部２５、２５……を形成するようにＰＥＴなどのポリエステル系、ポリアミド系などの合成繊維、天然繊維等を交織、編されて形成される。また、表面を粗面とした繊維を用いることにより、表示体２０を収容した際に繊維が該表示体２０の近似色に着色されたり、表示時に目立たなくなるため、外観上の表示品位を向上させることができる。用いる繊維の直径は、表示性能、応答性などの諸性能の点から細いことが望ましく、好ましくは１〜２００μｍが望ましい。
これらの織物体２４としては、例えば、一重組織である平織り、斜文織り、朱子織り、またはこれらの平織り、斜文織り、朱子織りの組み合わせの織物組織などが挙げられ、平滑性の点から、平織りにより構成される織物体が望ましい。
【００１８】
これらの平織り、斜文織り、朱子織りなどにより構成される織物体２４の区画部２５の数（メッシュ数）は、１インチ間の打ち込み本数から算出でき、各糸と糸との間の距離（オープニング：μｍ）は、メッシュ数と製織前の線径（直径）により算出、具体的には〔２５４００／メッシュ数−線径〕で算出することができ、また、織物体２４の開口率（オープニングエリア）は、オープニングと製織前の線径により算出、具体的には[（オープニング）２／（オープニング＋線径）２]で算出することができる。
従って、繊維の直径（ｄ）、繊維の打ち込み本数を好適に組み合わせることにより、任意の開口率（例えば、４０％。５０％）となる平織り、斜文織り、朱子織りなどから構成される織物体２４を適宜設定することができる。
【００１９】
また、織物体２４において、前面板及び背面板間距離をｔ(μｍ)、繊維径をｄ（μｍ）、繊維より構成される織物体の開口率をａとしたときに、下記式（Ｉ）を満足することが望ましい。
０．５≦（ｔ／ｄ）×ａ≦２．７    ……………（Ｉ）
基板間距離ｔは、表示の応答性や駆動電圧を支配する要素となるものであるが、表示性能や組立て性の点から、好ましくは、３００μｍ以下、更に好ましくは、２０〜１００μｍとすることが望ましい。また、繊維径ｄは、距離ｔの１／２が基準となるが、プレスした場合は、ｔ≦ｄであれば繊維径は損なわれず、また、ｔ≦３ｄであれば織物体等として形状を維持できることとなる。更に、繊維より構成される層の開口率ａは、良好な表示を得る点から、好ましくは、５０％以上、更に好ましくは、７０〜９０％とすることが望ましい。なお、開口率とは、表示面側から繊維で構成された層３０を見たときに、完全に抜けている面積が単位面積に占める割合を指す。
上記式（Ｉ）において、（ｔ／ｄ）×ａが０．５未満の場合は、開口率が小さく、もしくは押圧が大きすぎて、表示面積が小さくなりともに良好な表示性能が得られないこととなり、一方、（ｔ／ｄ）×ａが２．７を超える場合は、組み合わせた繊維同士が浮き上がっていて繊維より構成される層の形状が安定せず、表示性能の安定性が損なわれることとなる。
本実施形態の表示部２０を構成する表示媒体は、得られた織物体２４を前面板２１と背面板２２を対向配置させた空間部に配置し、各区画部２５に電気泳動表示用液２３を収容し、空間部の周囲をシール部２６により封止することにより得られるものとなる。
この織物体２４によりギャップ調整と高開口率の両立が可能となり、かつ、表示体２３の均一な充填も可能となり、表示媒体が変形したときにも、織物体２４により、ギャップを維持することができ、表示品位や駆動特性を損なうことがなく、良好な表示性能や形状安定性が得られるものとなる。
【００２０】
図５は、本実施形態〔図１（ａ）〕の表示部２０を構成する電気泳動表示用液２３を説明する説明図である。上記表示部２０を構成することとなる電気泳動表示用液２３としては、上述の如く、下記一般式（Ｉ）で表される構造単位を有するアルキルポリエーテルアミンと、１種類以上の微粒子と、分散剤と、分散液媒体とを含有するものが好ましく、例えば、赤色・白色表示の電気泳動表示用液２３としては、アクリルコポリマーを主成分として着色粒子（赤顔料を内包し、平均粒径約５μｍ）２３ａと、酸化チタン粒子（表面をトリイソステアリルチタネート処理した平均粒径約０．５μｍ）２３ｂと、分散液媒体（低誘電率溶媒、キシレンを主成分とし、ジアリルアルカンを混合）２３ｃ及びポリアルキルエーテルアミン等のその他の成分２３ｄを含有したものから構成される。また、黒色・白色表示の電気泳動表示用液２３としては、上記アクリルコポリマーを主成分とする着色粒子２３ａを、カーボンブラックを内包し、平均粒径約５μｍの着色粒子に変更することにより調製することができる。更に、青色、緑色、黄色、茶色等の各表示を行う場合も、上記アクリルコポリマーを主成分とする着色粒子の各色を用いることにより、赤色と各色（青色、緑色、黄色、茶色等）との電気泳動表示用液２３を調製することができる。
【００２１】
本発明において、電気泳動表示部を赤色表示にする場合、インパクトのある赤色表示を施す点から、赤色の色彩は、Ｌ＊ａ＊ｂ＊表色系において明度Ｌ＊値が４０以上、色度ａ＊値が１０以上であることが望ましく、更に好ましくは、明度Ｌ＊値が４５以上、色度ａ＊値が３０以上であることが望ましい。この明度Ｌ＊値が４０以上、色度ａ＊値が１０以上となる赤色表示を用いることにより、特売価格や値引価格などを強調するためのインパクトのある赤色を表示することができ、購買意欲を訴求する彩度の高い表示をおこなうことができるものとなる。
このＬ＊ａ＊ｂ＊表色系において明度Ｌ＊値が４０以上、色度ａ＊値が１０以上となる赤色の色彩とするためには、例えば、上記一般式（Ｉ）で表される構造単位を有するアルキルポリエーテルアミンと、上記アクリルコポリマーを主成分とする赤色粒子と、分散剤と、分散液媒体とを含有せしめることにより調整することができる。
【００２２】
次に、表示札本体１０内に電気泳動型の表示部２０を駆動等するための電力を供給するための電源部３１としては、例えば、マンガン電池、アルカリ（マンガン）センチ、ニッケル系一次電池などの乾電池、アルカリボタン電池、酸化銀電池、空気（亜鉛）電池などのボタン電池、あるいはリチウム電池などの一次電池を用いることができ、また、ニカド電池、ニッケル水素電池、リチウムイオン電池（ポリマー電池を含む）、小型制御弁式鉛蓄電池などの小型二次電池を用いることもできる。更に、燃料電池や太陽電池を用いることもできる。
本発明に係る電気泳動型の表示部２０は、上述のように、表示の切替時にのみ電力を消費する低消費電力型の表示であるため、上記の小型の電源部３１を用いることができ、商品情報表示札を小型化することができ省スペース化を実現することができる。
特に、小型のボタン電池が好ましく用いられるが、太陽電池を単用又は併用すれば電源部の交換などの手間を省くことや省力化することが可能となる。
【００２３】
商品情報の送受を行う通信部３２は、電話線、ツイストペアケーブル、光ケーブルなどの電線を用いた有線通信により行うこともできるが、商品情報表示札の設置場所の制約を受けにくく、また、移動が容易になることから、無線通信を用いることが好ましい。
無線通信としては、赤外線、可視光線など（レーザー、ＬＥＤ等）を用いた光無線通信や、音波又は超音波を用いた音響通信を挙げることができる。本実施形態では、赤外線を用いた光無線通信で行うものであり、表示札本体１０表面部に赤外線受光部が設けられている。
【００２４】
商品情報を記憶する記憶部３３は、商品名、商品価格、産地、日付、宣伝文句など、少なくとも商品に関する情報を記憶することができるものであれば良く、特にＩＣメモリチップのような瞬時に情報の書き換えが可能なメモリとすることが好ましい。
また、記憶部３３として、ＲＯＭ（リード・オンリー・メモリ）とＲＡＭ（ランダム・アクセス・メモリ）を組み合わせて用いることもでき、例えば、ＲＯＭに制御用プログラムデータなどを記憶させておき、ＲＡＭに表示する商品情報などを記憶させておくこともできる。
更に、ＲＯＭやＲＡＭ内部に、商品情報表示札ごとに付けられた個別の識別情報（通信アドレス）などを記憶させておくことにより、特定の商品情報表示札に対しホストコンピュータ等からの表示切替指示や新規の商品情報などを送信したりすることが可能となる。
【００２５】
制御部３４は、商品名、商品価格、産地、日付、宣伝文句などの商品情報の表示部２０での表示などを制御するものであり、３５は、電源部３１から供給された電力の電圧を上昇させる昇圧部である。
上記電源部３１、商品情報の送受を行う通信部３２、商品情報を記憶する記憶部３３、商品情報の表示を制御する制御部３４、昇圧部３５は、回路基板、リード線などで接続されている。
このように構成される商品情報表示札Ａでは、表示札本体１０に設けたスイッチ部（図示せず）をＯＮ入力にすると、透明電極２１ａ，２２ａに印可され、夫々の電極に負の電圧又は正の電圧がそれぞれ印加されると、表示用液２３中の電気泳動粒子が泳動し、図３に示すように、有色（黒色）や白色が表示されることとなる。このように電極に正、又は負の電圧を選択的に印加することによって、電気泳動粒子と分散媒の色の差による画像を表現することができる。
【００２６】
好ましい前記電気泳動型の表示部２０としては、少なくとも一方が透明な一組の対向配置された前面板３１と背面板３２からなる基板間に電気泳動粒子を含有する電気泳動用表示液２３を封入してなり、上記前面板３１及び背面板３２のそれぞれが、引き出し線を有する一つ以上の表示セグメント電極と、該表示セグメント電極以外の背景セグメント電極とを備え、一方の基板の引き出し線と他方の基板の背景セグメント電極とが互いに対向するように配置されている構成となるものが望ましい。
【００２７】
図６（ａ）〜（ｃ）は、７個の表示パターン電極によって７個のセグメントの色を所定のパターンで切り替えることで０〜９のセグメント表示する電気泳動型の表示部２０の実施形態である。
図６（ａ）は、７セグメントによる電気泳動型の表示部２０の組み立て図であり、２１は前面板、２２は背面板、２６はシール部であり、基板間には図示しないが上述の電気泳動表示用表示液が充填されている。また、図６（ｂ）に示すように、前面板２１には、セグメント電極２１ｂと背景電極２１ｃが設けられ、更に、図６（ｃ）に示すように、背面板２２には、７セグメントを構成する電極２２ｂ〜２２ｈと背景電極２２ｉが設けられている。なお、図６（ｂ）及び（ｃ）でハッチングされている箇所は電極が残っている箇所である。
一方、図７（ａ）〜（ｃ）の従来の７セグメントによる電気泳動型の表示部では、前面板２１上に、電極が分割されていない点で異なるものであり、図６と同一符号を付けてその説明を省略する。この図６と図７との相違は、前面板４１上の電極が分割されているか否かの点で異なる構成である。
【００２８】
このような構成となる図６の７セグメントによる電気泳動型表示部２０において、具体的な電圧の印加の仕方、並びに、表示態様を図８及び図９に示す。
条件として、電気泳動表示用液中にマイナス（−）チャージとなる黒粒子、プラス（＋）チャージとなる白粒子を含有させ、各表示（白・黒表示）を行うときに、前面、背面電極間の電位差がプラス（＋）の場合、色変化あり、電位差がゼロ（０）の場合色変化なし、電位差がマイナス（−）の場合色変化ありの場合に、前面を単一色へ変更する態様では、図８に示すように、本発明及び比較例ともに同じ態様となる。
これに対して、数字の「３」を表示する場合の電圧の印加の仕方は、本発明となる図６の７セグメントによる電気泳動表示部では、前面板のセグメントに対応しているところに＋Ｖａ、背景部に−Ｖａ、背面板の表示する箇所に−Ｖａ、表示しない箇所に＋Ｖａを印加する。一方、比較例となる図７の７セグメントによる電気泳動表示部では、前面板の電極に＋Ｖａ、背景部に−Ｖａ、背面板の表示する箇所に−Ｖａ、表示しない箇所に＋Ｖａを印加する。
図６の７セグメントによる電気泳動表示部における各箇所の電位差を下記表１に、従来例となる図７の７セグメントによる電気泳動表示部における各箇所の電位差を下記表２に示す。
【００２９】
【表１】
2008009110.tif 000005
【表２】
2008009110.tif 000006
【００３０】
図９、並びに、上記表１及び表２の結果から明らかなように、図６の７セグメントによる電気泳動表示部では、引き出し線は表示されないが、従来例となる図７の７セグメントによる電気泳動表示装置では、引き出し線が表示されることとなる。
図６の電気泳動型表示部２０では、引き出し線と該引き出し線に対向する背景セグメント電極間の電位差が、少なくとも２箇所以上においてゼロ（０）となる箇所が存在することとなるので、本実施形態では、引き出し線２１ｂ，２２ｅ，２２ｆ，２２ｇ，２２ｈは表示されず、図９に示すように、きれいな「３」が表示されることとなる。
【００３１】
以上のように本実施形態では、簡単な構成にもかかわらず、きれいな表示ができ、また、リフレッシュ動作において背面の切り替えも良好に行うことができる。更に、表示ドットが増えても、引き指し線が交差しない構成とすることで、背面の切り替えが必要な場合でも、引き出し線の無駄な表示部をなくすことや隠蔽部の形成などが省略でき、極めて良好な表示を行うことができる電気泳動表示部及びその表示方法が得られるものとなる。
【００３２】
図１０（ａ）及び（ｂ）は、商品情報表示札Ａの他の実施形態を示すものであり、電気泳動型の表示部２０を、少なくとも２種以上の情報を表示し、表示する情報を赤色を含む少なくとも２色以上の異なった色で表示する実施形態を示すものである。
図１０（ａ）の商品情報表示札Ｂは、「本日お買い特品お買い得品」の欄、「通常価格」の欄、「（販売価格）１９８円」の欄、「本体、消費税、合計」の欄の３種の情報表示が電気泳動型の表示部２０であり、「オレンジジュース  １０００ｍｌ  バーコード表示」の欄が印刷表示部３０から構成された点で、図１に示した実施形態の商品情報表示札Ａと相違するものである。
この商品情報表示札Ｂでは、「本日お買い特品お買い得品」の欄をインパクトのある赤色表示、「通常価格」の欄及び「本体、消費税、合計」の欄を黒色表示、「（販売価格）１９８円」の欄を青色、緑色、黄色、茶色から選ばれる色で表示したものである。
これらの赤色、青色、緑色、黄色、茶色などの有色表示は、用いる電気泳動表示用液が、上述の如く、一般式（Ｉ）で表される構造単位を有するアルキルポリエーテルアミンと、１種類以上の微粒子と、分散剤と、分散液媒体とを含有するものを用いるので、商品表示も購買意欲を訴求する彩度の高い優れた表示性能を発揮できるものである。
【００３３】
図１０（ｂ）の商品情報表示札Ｃは、商品名の「スニーカー」の欄を印刷表示部３０で表示し、「（販売価格）￥９，８００円」の欄、「本体価格、消費税、合計」の欄、「サイズ」の欄の３種の情報表示が電気泳動型の表示部２０とした点で、図１に示した実施形態の商品情報表示札Ａと相違するものである。
この商品情報表示札Ｃでは、「（販売価格）￥９，８００円」の欄をインパクトのある赤色表示、「本体価格、消費税、合計」の欄を黒色表示、「サイズ」の欄を青色、緑色、黄色、茶色から選ばれる色で表示、本実施形態では青色で表示したものであり、サイズの欄における２２、２８の（青色の）アンダーラインは「在庫がない」旨を表示するものであり、アンダーラインが表示されないサイズは「在庫がある」ことを意味するものである。また、在庫が無い場合は青色以外の表示、例えば、黄色表示とすることにより販売員が常時在庫情報を把握することができる表示とすることができる構成としたものである。
【００３４】
このように構成される各実施形態の商品情報表示札Ａ（又はＢ，Ｃ、以下、単に「Ａ」という）は、商品展示棚等に配置される各商品の所定位置に、取り付け部材を介して、または、展示棚に設けられた凹凸部等の取り付け部に取り付けることにより固着される。
図１１は、商品情報表示札システムの概要を示したものである。この商品情報表示札システムＤは、上述の商品情報表示札Ａ（又はＢ，Ｃ、以下同様）と、該商品情報表示札Ａを制御するサーバー４０と、該サーバー４０と連動するＰＯＳデータを含むＰＯＳ装置４１及びＰＯＳレジスタ４２を有するポスシステム４３及び外部ネットワークを介して店舗の運営を統括等するチェーン店本部のホストコンピュータ４４を備えたものであり、サーバー４０、ＰＯＳシステム４３及びチェーン店本部のホストコンピュータ４４は相互間でデータ通信が可能となるものである。
ＰＯＳシステム４３は、各商品の販売に係る情報をその販売時点において収集・分析するシステムであり、ＰＯＳシステム４３を統括的に管理するＰＯＳデータを含むＰＯＳ装置４１と、商品の精算を行う複数のＰＯＳレジスタ４２とを備えたものである。
【００３５】
この商品情報表示札システムＤでは、サーバー４０、該サーバー４０に接続される送信装置４５及び赤外線トランシーバ４６により、商品情報表示札Ａが表示すべき商品の販売価格などの商品情報を各商品情報表示札Ａに対して配信する。サーバー４０は、商品情報表示札システムＢを統括的に管理する装置となっている。
サーバ−４０としては、例えば、各種演算処理を行うＣＰＵや、基本プログラムを記憶するＲＯＭ、演算処理の作業領域となるＲＡＭ、プログラムや各種のデータファイルなどを記憶するハードディスク、各種表示を行う表示部、キーボードなどの入力部、データ通信機能を有するデータ通信部、並びに、送信装置４５と通信するためのインターフェイスなどを備えている。商品情報表示札Ａを制御する各種信号は、インターフェイスを介して送信装置４５に送信される構成となっている。
【００３６】
トランシーバ４６は、各店舗内の商品展示棚などに配置される各商品情報表示札Ａに対して、例えば、無線通信である赤外線通信を利用して各種の赤外線信号を送信する構成となっている。具体的には、一つの商品情報表示札Ａに販売価格や割引価格、商品属性などを表示させる場合には、商品情報表示札Ａが表示すべき販売価格等を含む赤外線信号である商品情報信号が、トランシーバ４６から各商品情報表示札Ａに対して送信される。また、各トランシーバ４６は、商品展示棚等に配置された各商品情報表示札Ａと通信可能となるように、販売スペースの天井等に所定間隔ごとに配置される構成となっている。
【００３７】
このように構成される商品情報表示札システムＤでは、システム起動時や商品情報表示札Ａに表示させる商品情報（販売価格、商品属性等）を更新や変更する際等に、送信装置４５から各商品情報表示札Ａに対し、表示すべき販売価格などの商品情報を含む情報信号が送信される。システム起動時には、店舗内の全ての各商品情報表示札Ａに対して各商品の情報信号が送信される。また、表示させる販売価格などを更新や変更する際には、対象となる各商品に対応する各商品情報表示札Ａに対して情報信号が送信されることとなる。これにより各商品情報表示札Ａに表示される販売価格等と、ＰＯＳレジスタ４２による精算時の販売価格とが常時一致することとなり、ＰＯＳレジ４２との価格不一致によるオーバースキャンやアンダーンスキャンを防止することができる。
【００３８】
本発明の商品情報表示札では、少なくとも、電力を供給するための電源部と、商品情報の送受を行う通信部と、商品情報を記憶する記憶部と、商品情報の表示を制御する制御部と、供給された電力の電圧を上昇させる昇圧部と、商品情報を表示するための電気泳動型の表示部とを有する構成としたので、商品価格等の商品情報を迅速かつ自由に変更することができると共に、表示札内で電源があるので、商品の配置換えなどによって棚札の移動が容易となる省電力で、かつ安価な商品情報表示札が得られるものとなる。
また、電気泳動型の表示部を、上記一般式で表される構造単位を有するアルキルポリエーテルアミン、１種類以上の微粒子及び分散液媒体を含有する電気泳動表示用液で少なくとも表示することにより、高コントラストな反射型表示が得られることになる。例えば、白色、赤色の２種類の微粒子を含有する電気泳動表示用液を用いると、白表示部の反射率が３０％以上、赤色の色彩がＬ＊ａ＊ｂ＊表色系において、明度Ｌ＊値が４０以上、色度ａ＊値が１０以上となるため、商品表示も、購買意欲を訴求する彩度の高い優れた表示性能を有するものとなる。
更に、電気泳動型の表示部２０を構成する前面板と背面板間に、電気泳動粒子の偏在を抑制する構造、好ましくは、繊維を織ることによる織物構造を介在させる構成とすることにより、ギャップ調整と高開口率の両立が可能となり、かつ、表示体の均一な充填も可能となり、表示媒体が変形したときにも、織物体により、ギャップを維持することができ、表示品位や駆動特性を損なうことがなく、良好な表示性能や形状安定性が得られるものとなる。
【００３９】
更にまた、電気泳動型の表示部を、少なくとも一方が透明な一組の対向配置された前面板と背面板からなる基板間に電気泳動粒子を含有する電気泳動用表示液を封入してなり、上記前面板及び背面板のそれぞれが、引き出し線を有する一つ以上の表示セグメント電極と、該表示セグメント電極以外の背景セグメント電極とを備え、一方の基板の引き出し線と他方の基板の背景セグメント電極とが互いに対向するように配置される構成とすることにより、きれいな表示ができ、また、リフレッシュ動作において背面の切り替えも良好に行うことができると共に、表示ドットが増えても、引き指し線が交差しない構成とすることで、背面の切り替えが必要な場合でも、引き出し線の無駄な表示部をなくすことや隠蔽部の形成などが省略でき、極めて良好な表示を行うことができる電気泳動表示部及びその表示方法が得られることとなる。
【００４０】
本発明の商品情報表示札、その表示方法及びそれを用いた商品情報表示札システムは、上述の如く構成されるものであるが、上記各実施形態に限定されるものではなく、本発明の技術思想の範囲内で種々の変更をすることができる。
例えば、野菜、魚類などの毎日仕入れ価格が変動する商品や効率的な在庫管理を行う靴類等の商品では、商品情報表示札の販売価格や在庫管理を変更しやすくするために、サーバー４０と連動するハンディー端末にデータを取りこみながら、サーバーの他、ハンディー端末で個別の商品情報表示札と交信し、価格の変更などの操作を瞬時に行ってもよい。
【００４１】
また、電気泳動型の表示部における「販売価格」の欄などなどの赤色などの有色表示を点滅表示や「本日お買い特品お買い得品」の欄などの有色表示をスクロール機能を有する表示としてもよいものである。
更に、液晶表示パネル等と組み合わせによる表示や、ＬＥＤ等を点灯させることにより訴求力を向上させても良い。
【実施例】
【００４２】
次に、本発明を実施例により、更に詳述するが、本発明は下記実施例に限定されるものではない。
【００４３】
〔実施例１〕
（電気泳動型表示部の作製）
下記方法により電気泳動型表示部（２種類）を作製した。
１）織物体の作製
用いた繊維：  材質：ポリアリレート、繊維径（ｄ）：２３μｍ、
織物体の仕様：  織り方：平織り、開口率（ａ）：８０％、厚さ：５０μｍ
２）用いた前面板、背面板
前面基板、背面基板：ＩＴＯ−ＰＥＴフィルム（１２５μｍ・１００Ω／□）
基板間距離（ｔ）：５０μｍ、（ｔ／ｄ）×ａ＝１．７４
【００４４】
３）用いた表示部材
電気泳動表示用インキ組成（白色、黒色）：
黒粒子：ラブコロール２２０ＭＤブラック（大日精化工業社製）          ２０重量部
白粒子：ＩＴＴ−２ＴｉＯ２  ＣＲ−５０（日光ケミカルズ社製）        １０重量部
アルキルポリエーテルアミン：ナイミーンＬ−２０１
〔ヒドロキシエチルラウリルアミン、日本油脂社製〕          ３重量部
分散剤：ソルビタントリオレート                                        １重量部
分散媒：キシレン                                                    ３２重量部
ＳＡＳ２９６（ジアリルアルカン、新日本石油化学社製）        ３４重量部
電気泳動表示用インキ組成（白色、赤色）：
赤粒子：ラブコロールＭＢ−３１０Ｒｅｄ（大日精化工業社製）          １０重量部
白粒子：ＩＴＴ−２ＴｉＯ２  ＣＲ−５０（日光ケミカルズ社製）        ２０重量部
アルキルポリエーテルアミン：ナイミーンＬ−２０１
〔ヒドロキシエチルラウリルアミン、日本油脂社製〕          ３重量部
分散剤：ソルビタントリオレート                                        １重量部
分散媒：キシレン                                                    ３２重量部
ＳＡＳ２９６（ジアリルアルカン、新日本石油化学社製）        ３４重量部
【００４５】
４）電気泳動型表示部の作製
図１２（ａ）〜（ｆ）に示すように、背面板の３辺にシール部としてＵＶ硬化型接着剤を塗布し〔図１２（ｂ）〕、織物体を乗せ〔図１２（ｃ）〕、更にその上から前面板を乗せ、該織物体を該前面板と背面板で狭持したまま、ＵＶ光を照射し、該織物体と対向基板とを一体化させた〔図１２（ｄ）〕。これに上記電気泳動表示用インキ（２種）を真空充填法にて充填後〔図１２（ｅ）〕、注入孔をＵＶ硬化型接着剤で封止して、２種の電気泳動型表示部を得た〔図１２（ｆ）〕。
【００４６】
（商品情報表示札の作製）
電気泳動型表示部と、制御基板（ＣＰＵ、サーバー又は通送信端末と交信するための送受信部、メモリ）、電源を筐体に収めて２種（黒色・白色、赤色・白色）の商品情報表示札を作製した。
【００４７】
このようにして作製した各商品情報表示札に送信端末から波長８９０ｎｍの赤外線を送信し表示部に数字を形成した結果、商品表示も購買意欲を訴求する彩度の高い優れた表示性能を有すると共に、高いコントラストの電子泳動表示を得ることができた。また、電源供給を止めても表示した商品情報はそのままの状態で継続表示した。また、サーバーを操作して表示部を変更したところ、商品価格等の商品情報を迅速かつ自由に変更することができた。
また、上記白色・赤色の２種類の微粒子を含有する電気泳動表示用液を用いた商品情報表示札の白表示部の反射率、赤色の色彩のＬ＊ａ＊ｂ＊表色系における明度Ｌ＊値、色度ａ＊値をスガ試験機社製、多光源分光測色計（ＭＳＣ−５Ｎ）を用いて、測定条件：正反射なし、測定孔：１５φｍｍ、光源：Ｃ２ｄｅｇにより、Ｌａｂ系色度座標を測定した。その結果、商品情報表示札の白表示部の反射率は５２％、赤色の色彩のＬ＊ａ＊ｂ＊表色系における明度Ｌ＊値４５．５、色度ａ＊値４７．２であり、購買意欲を訴求する彩度の高い優れた表示性能であることが判った。
【図面の簡単な説明】
【００４８】
【図１】（ａ）及び（ｂ）は、本発明の商品情報表示札の実施形態の一例を示すものであり、（ａ）は商品情報表示札の斜視図、（ｂ）は内部構造を示す概略図である。
【図２】電気泳動型の表示部の縦断面図である。
【図３】図２の部分拡大断面図である。
【図４】電気泳動粒子の偏在を抑制する構造を示す平面図である。
【図５】電気泳動表示用液を説明する説明図である。
【図６】（ａ）〜（ｃ）は、７個の表示パターン電極によって７個のセグメントの色を所定のパターンで切り替えることで０〜９のセグメント表示する電気泳動型表示部の好ましい実施形態であり、（ａ）は表示パネルの概略平面図、（ｂ）は前面板の概略平面図、（ｃ）は背面板の概略平面図である。
【図７】（ａ）〜（ｃ）は、７個の表示パターン電極によって７個のセグメントの色を所定のパターンで切り替えることで０〜９のセグメント表示する従来例となる電気泳動型表示部であり、（ａ）は表示パネルの概略平面図、（ｂ）は前面板の概略平面図、（ｃ）は背面板の概略平面図である。
【図８】図６及ぶ図７の７セグメントによる電気泳動表示装置において、前面を単一色へ変更する表示態様の比較図面である。
【図９】図６及ぶ図７の７セグメントによる電気泳動表示装置において、数字の「３」を表示する表示態様の比較図面である。
【図１０】（ａ）及び（ｂ）は、夫々、本発明の商品情報表示札の表示部の他の実施形態の一例を示す概略平面図である。
【図１１】本発明の商品情報表示札システムの一例を示す概要図である。
【図１２】（ａ）〜（ｆ）は、実施例の電気泳動型表示部の作製例を工程毎に説明する説明図である。
【符号の説明】
【００４９】
Ａ  商品情報表示札
１０  表示札本体
２０  電気泳動型の表示部
３０  印刷表示部
３１  電源部
３２  通信部
３３  記憶部
３４  制御部
３５  昇圧部
【図１】
2008009110.tif 000008
【図２】
2008009110.tif 000009
【図３】
2008009110.tif 000010
【図４】
2008009110.tif 000011
【図５】
2008009110.tif 000012
【図６】
2008009110.tif 000013
【図７】
2008009110.tif 000014
【図８】
2008009110.tif 000015
【図９】
2008009110.tif 000016
【図１０】
2008009110.tif 000017
【図１１】
2008009110.tif 000018
【図１２】
2008009110.tif 000019